(57)【要約】【課題】  扁平タイヤやランフラットタイヤの上ビードを簡単に外すことが出来る方法の提供。【解決手段】  ディマウント爪４はその位置を高くした外側溝３１と位置を低くした内側溝３２を先端部に形成し、このディマウント爪４をタイヤ２１の上ビード部付近に押圧して変形させ、タイヤ上ビード２３を外側溝３１に係合し、そしてディマウント爪４を上昇させて内側溝３２をホイール２０の耳部２４に係合し、この状態でホイール２０を回転させることでタイヤ上ビード２３を取外す。【選択図】    図７
2011031647.tif 000002
【特許請求の範囲】
【請求項１】
回転テーブルにホイールを固定し、該ホイールと共にタイヤを回転することでタイヤ上ビード取外す方法において、ディマウント爪はその位置を高くした外側溝と位置を低くした内側溝を先端部に形成し、このディマウント爪をタイヤの上ビード部付近に押圧して変形させ、タイヤ上ビードを外側溝に係合し、その後ディマウント爪を上昇させて内側溝をホイールの耳部に係合し、そして、ディマウント爪を昇降動させる為のエアシリンダーのエアー圧を切替弁を切り替えることで抜取り、この状態でホイールと共にタイヤを回転させることでタイヤ上ビードを取外すことを特徴とするタイヤ上ビードの取外し方法。
【請求項２】
上記ディマウント爪が上ビード部付近を押圧して先端部がホイール耳部より下側に降下したところで、ディマウント爪を揺動させてその先端をホイール側へ接近し、そして該ディマウント爪をさらに押圧にて変形させることで外側溝にタイヤ上ビードを係合させるようにした請求項１記載のタイヤ上ビードの取外し方法。
【請求項３】
上記ディマウント爪は揺動可能に軸支され、エアシリンダーの動作によって先端をホイールから遠ざける方向に揺動し、エアシリンダーをＯＦＦにすることでバネ力によってホイール側へ先端が近づくように揺動可能に制御した請求項１、又は請求項２記載のタイヤ上ビードの取外し方法。
【請求項４】
回転テーブルにホイールを固定し、該ホイールと共にタイヤを回転することでタイヤ上ビード取外す装置において、タイヤ上ビード取外し装置はエアシリンダーによって昇降動するディマウント爪を有し、ディマウント爪はその位置を高くした外側溝と位置を低くした内側溝を先端部に形成し、上記ディマウント爪の外側溝にタイヤの上ビードを係合して上昇し、内側溝をホイール耳部に係合させた状態で上記エアシリンダーのエアー圧を抜取るようにエアーの流れを制御する切替弁を設けたことを特徴とするタイヤ上ビード取外し装置。
【請求項５】
上記ディマウント爪を回転しないスライド棒の先端に取付け、そしてディマウント爪と対を成してビードプレスローラを回転可能に軸支した請求項４記載のタイヤ上ビード取外し装置。
【請求項６】
上記ディマウント爪は軸を中心として揺動可能に取付けられ、
外側溝に上ビードを係合させる為に該上ビードを押圧変形させる際、ホイール耳部から先端部が遠ざかるように揺動させるエアシリンダーを取付け、該エアシリンダーの反対側にはホイール耳部に近づくようにバネを取付けた請求項４、又は請求項５記載のタイヤ上ビード取外し装置。
【発明の詳細な説明】
【技術分野】
【０００１】
本発明は特にランフラットタイヤ（パンクしても一定距離を走れるタイヤ）や扁平タイヤを対象とし、タイヤ着脱装置に備わっているディマウント爪を使用してタイヤの上ビードをホイールから取外す方法、並びに上ビードの取外し装置に関するものである。
【背景技術】
【０００２】
ホイールにタイヤを装着する場合又は取外す場合、一般にタイヤの着脱装置が用いられて該タイヤ着脱作業の効率化が図られている。タイヤの着脱方法もタイヤサイズによって違っており、例えばトラック等の大型タイヤであれば、ホイールを上記タイヤ着脱装置の回転テーブルに固定した状態でビードローラをタイヤ側面に押圧しながら回転するだけで、該タイヤの着脱を行うことが出来る。
【０００３】
しかし、小型乗用車に装着されているタイヤは、上記大型タイヤのように単にビードローラにて押圧しながら回転するだけでは着脱を行ない得ない。これは小型乗用車タイヤは大型タイヤに比べて柔らかいためで、タイヤ側面をビードローラでもって押圧しただけではタイヤ全体が変形するだけとなり、タイヤのビードをホイールのビード部から外したり、逆にホイールのビード部へ嵌込むことは出来ず、その為にタイヤビードをタイヤ爪に係止して回転することでホイールへの着脱作業を行なっている。
【０００４】
すなわち、水平に揺動するアーム端から垂下するロッドの下端にタイヤ爪を備え、回転テーブルには同じくホイールを固定し、該タイヤ爪をタイヤビードに係止した状態で、ホイール並びにタイヤを回転することで、タイヤの着脱を行なうことが出来る。勿論、このように上記回転テーブルとタイヤ爪を備えたアームを有すタイヤ着脱装置は従来から知られていて、多方面で利用されているが、同じ小型乗用車用タイヤであっても、扁平タイヤの場合には従来のタイヤ着脱装置を用いてタイヤの着脱作業を容易に行うことが出来ない。同じくランフラットタイヤの場合も着脱作業は容易でない。
【０００５】
扁平タイヤを装着しているケースは近年多く、この種のタイヤは一般乗用車用タイヤに比べて剛性が高くなっているため、タイヤ爪をタイヤビードに係止して回転するだけではホイールに装着出来ず、又ホイールから取外し出来ない為に、タイヤ爪の他にマウントローラやディマウントローラを装着している装置が知られている。特許第２７２４６６１号に係る「扁平タイヤの装着方法」、特許第２６６８３１８号に係る「扁平タイヤの取外し方法及びその装置」はマウントローラやディマウントローラを兼用したタイヤ着脱方法である。
【０００６】
（特許第２７２４６６１号に係る「扁平タイヤの装着方法」）
回転テーブルにホイールを固定し、該ホイールに扁平タイヤを載せ、タイヤの下ビードを所定の位置に配置したタイヤ爪に係止した状態で上記回転テーブルを回しながらホイールに嵌込み、下ビードはホイールのドロップ部に位置させておき、そしてタイヤの上ビードを同じくタイヤ爪に係止するとともに、タイヤ爪の付近であってタイヤ回転方向の後方に配置したマウントローラによって、タイヤ上側面を押圧しながら回転テーブルを回して、上ビードをホイールに嵌込むことが出来る。
【０００７】
（特許第２６６８３１８号に係る「扁平タイヤの取外し方法」）
ホイールを回転テーブルにチャック爪を介して固定し、該タイヤの上側面をディマウントローラにて押圧してタイヤの上ビードをホイールのドロップ部へ落し込み、対向する反対側の上ビードにテコを差込んでタイヤ爪に係止し、上記回転テーブルを回すことで上ビードをホイールから外し、その後、タイヤの下ビードがドロップ部に落し込まれていない場合には、該タイヤの下側面にディマウントローラを当てて押し上げ、下ビードがドロップ部に落し込まれた状態で上ビードと同じようにテコを差込んでタイヤ爪に係止し、上記回転テーブルを回すことで下ビードをホイールから取外すことが出来る。
【０００８】
ところで、扁平タイヤの装着に関しては上記特許第２７２４６６１号に係る「扁平タイヤの装着方法」を採用することに大きな問題はないが、取外しに関しては容易でない。すなわち、タイヤビードをタイヤ爪に係止するに際してレバーで持ち上げなくてはならず、特に扁平タイヤで硬いタイヤビードをタイヤ爪に係止する作業は容易でなく、ホイールやタイヤビードをキズ付ける場合も多い。
【特許文献１】特許第２７２４６６１号に係る「扁平タイヤの装着方法」
【特許文献２】特許第２６６８３１８号に係る「扁平タイヤの取外し方法及びその装置」
【発明の開示】
【発明が解決しようとする課題】
【０００９】
このように、従来のタイヤ着脱装置を用いてのタイヤの着脱作業には上記のごとき問題がある。本発明が解決しようとする課題はこの問題点であり、特に取外しにくい上ビードを対象とし、しかもレバーを使用することなく特別な熟練なしにタイヤの上ビードの取外しが出来るタイヤ上ビードの取外し方法、並びにタイヤ上ビードの取外し装置を提供する。
【課題を解決するための手段】
【００１０】
本発明に係るタイヤ上ビードの取外し方法はタイヤ着脱装置が使用され、このタイヤ着脱装置には従来にないディマウント爪が備わっている。ディマウント爪はその先端が概略Ｓ字状として先端部には外側溝と内側溝を形成し、軸を中心として向きが変わるように揺動可能としている。そして、タイヤサイズに応じてその位置を変えることが出来、又エアシリンダーの動作にて上下動することが出来るように昇降動可能としている。
【００１１】
ところで、ホイールは回転する回転テーブルに固定され、この状態で上記ディマウント爪を降下してタイヤの上ビード部付近を押圧する。上ビードは押下げられるが、このままではディマウント爪に係合しないために、該ディマウント爪の向きを変えてホイールに近づける。そしてさらに降下すれば上ビードはディマウント爪の外側溝に係合する。
【００１２】
このように、ディマウント爪の外側溝に上ビードが係合したところで、該ディマウント爪を上昇させるならば、上ビードの一部は持ち上げられてホイールから外れる。そして、ディマウント爪の内側溝がホイールの耳部に係合して位置決めされる。すなわち、上ビードが外側溝に係合することでディマウント爪は内側へ押圧され、上昇と共にホイール耳部に係合することが出来る。
【００１３】
ところで、ディマウント爪の外側溝と内側溝は高さ位置が異なり、外側溝は高い位置に形成され、内側溝は低い位置に形成されている。その為に、内側溝がホイール耳部に係合した状態では、上ビードはホイール耳部から外れた位置にあり、この状態で回転テーブルと共にホイールが回転するならば、上ビードはホイールから外れる。勿論、ディマウント爪は動くことなく定位置にある。
【００１４】
上ビードが外されたならば、下ビードが外されるが、該下ビードはビードアップローラにて持ち上げながら回転すれば簡単に外れる。本発明は下ビードの取外し方法に関しては対象としておらず、他の方法を用いることは自由である。ところで、ディマウント爪を降下してタイヤ上ビードを外側溝に係合し、そしてディマウント爪を上昇する手段としてエアシリンダーを用いている。ディマウント爪の外側溝にタイヤ上ビードを係合して上昇し、内側溝をホイールの耳部に係合した状態でエアシリンダー内のエアー圧を抜取るように制御している。
【発明の効果】
【００１５】
本発明のタイヤ上ビードの取外し方法を用いることで、ディマウント爪を使用してタイヤ上ビードの取外しを簡単に、しかも短時間で行うことが出来る。すなわち、ディマウント爪をガイドポストに沿ってエアシリンダーの動作により降下し、該ディマウント爪の外側溝に上ビードを係合させる。この状態でディマウント爪を上昇するならば該ディマウント爪の内側溝にホイール耳部が係合し、そして、ホイールが回転すれば上ビード全体がホイールから外れる。
【００１６】
この場合、ディマウント爪の内側溝をホイール耳部に係合させることでディマウント爪の位置決めが行われる。しかし、ホイールが回転して上ビードの大部分がホイールから外されるならば、タイヤ上ビードを押下げる力が小さくなり、エアシリンダーによるディマウント爪を上昇させる力が勝って、ディマウント爪はホイール耳部から外れてしまう。しかし、本発明ではエアシリンダーのエアー圧を抜くことでディマウント爪が耳部から外れることはなく、上ビードを安全に外すことが出来る。
【００１７】
ところで、従来のようにレバーを使用して爪に上ビードを係合させる必要がなく、ディマウント爪が降下すると共にその向きを変えることで、上ビードは外側溝に必然的に係合することが出来る。従って、作業者の熟練は不要となり、ディマウント爪の昇降動作とホイールの回転だけで、ホイール及び上ビードをキズ付けることなく簡単にタイヤの上ビードが外される。
【図面の簡単な説明】
【００１８】
【図１】タイヤ着脱装置の平面図。
【図２】タイヤ着脱装置の正面図。
【図３】ホイールにタイヤを装着する工程。
【図４】ディマウント爪を上側ビードに押圧する場合。
【図５】ディマウント爪を揺動して先端をホイールに近づける工程。
【図６】ディマウント爪の外側溝に上ビードが係合した状態。
【図７】ディマウント爪を上昇して上ビードをホイール耳部から離脱した場合。
【図８】ディマウント爪を昇降動させるエアシリンダーのエアー回路。
【発明を実施するための形態】
【００１９】
図１、図２は本発明に係るタイヤ上ビードの取外しが出来るタイヤ着脱装置を表している外観図であり、図１は平面図、図２は正面図を示している。同図の１はタイヤ爪、２は回転テーブル、３はビードプレスローラ、４はディマウント爪、５は押え板、９はビードアップローラを夫々表している。回転テーブル２にはツメ６，６・・・が取付けられ、これら各ツメ６，６・・・は回転テーブル２の下側に取付けているエアシリンダー７にて作動することが出来、回転テーブル２に載置されるホイールを固定することが出来る。
【００２０】
そして、本体の両側には別のエアシリンダー８、３４が取付けられ、該エアシリンダー８、３４が作動することで上記押え板５、ビードプレスローラ３、ディマウント爪４、及びビードアップローラ９を昇降動することが出来る。タイヤ爪１は縦ガイドポール１０の下端に固定され、縦ガイドポール１０は縦軸受け１２に嵌って昇降動可能と成っている。
【００２１】
本体中央には支柱１１が垂直に起立し、該支柱１１の上端には水平軸受け１３が設けられ、この水平軸受け１３には水平ガイドポール１４がスライド可能に嵌っている。従って、タイヤ爪１は縦ガイドポール１０と水平ガイドポール１４を伸縮させることで、あらゆるタイヤサイズに応じてその位置を変えることが可能である。すなわち、あらゆるサイズのタイヤビードに係止することが出来る。
【００２２】
ところで、このタイヤ着脱装置を用いてホイールにタイヤを装着し、又タイヤをホイールから取外すことが出来る。
（タイヤ装着工程）
（１）ホイールを回転テーブルに固定する。
回転テーブル２には４個のツメ６，６・・・が取付けられ、エアシリンダー７を作動することで各ツメ６，６・・・は移動し、回転テーブル２の上に載置したホイール２０が固定される。
（２）タイヤ２１をホイール２０の上に配置する。
（３）タイヤ２１の下ビードを嵌める。
タイヤ下ビードをタイヤ爪１に係止し、この状態で回転テーブル２と共にホイール２０及びタイヤ２１を回転すればタイヤ下ビードはホイール２０に嵌る。この場合、上ビードはフリーな状態である為に、扁平タイヤやランフラットタイヤであっても比較的容易に嵌る。
（４）タイヤ上ビードを嵌める。
この場合も、上ビードをタイヤ爪１に係止し、この状態で回転テーブル２と共にホイール２０及びタイヤ２１を回転すればタイヤ上ビードはホイール２０に嵌るが、上ビード部付近をビードプレスローラ３にて押圧する。この状態を図３に示している。そして、必要に応じて押え板５をタイヤの上側面に当てて回転する。押え板５を当てることで一旦嵌ったタイヤ上ビードがホイール２０から外れることはなく、タイヤ２１が一回転することで全周を嵌めることが出来る。該押え板５はガイドポスト１６に沿って上下動する基部１５から継手を介して連結した３本のリンク１７，１８，１９が繋がれることで、タイヤ２１の上側面に押え板５を当てた状態で該タイヤ２１と共に回転することが出来る。
【００２３】
本発明は、特に扁平タイヤやランフラットタイヤの場合に作業が容易でない上ビードの取外しを特別な熟練を必要としないで行うことが出来る方法、並びに取外し装置であり、以下に各行程を詳しく説明する。
（タイヤ上ビードの取外し工程）
（１）ホイールの固定。
タイヤ２１が装着されているホイール２０を回転テーブル２に複数のツメ６,６・・・を介して固定する。
（２）ディマウント爪４の先端にてタイヤ２１の上ビード部付近を押圧する。
図４はディマウント爪４の先端にてタイヤ上ビード部付近を押圧している場合である。
【００２４】
ところで、ディマウント爪４は角形断面軸２２の先端に取着され、そして軸３３を中心として揺動することが出来る。又角形断面軸２２の先端には該ディマウント爪４と対を成してビードプレスローラ３が回転可能に軸支されている。そして、エアシリンダー２５とバネ２６が取付けられていて、該エアシリンダー２５が作動してピストンロッドが突出するならば、ディマウント爪４の先端はホイール２０から遠ざかり、エアシリンダー２５がＯＦＦになればバネ２６のバネ力によってディマウント爪４の先端はホイール２０に接近する。
【００２５】
上記角形断面軸２２はホイール２０の中心部に向いて延び、ホイール２０の外径に応じて角形断面軸２２はスライドすることが出来る。すなわち、ディマウント爪４の先端がタイヤ上ビード２３付近を押圧するように該角形断面軸２２はスライドして所定の位置でロックされる。角形断面軸２２は軸受け２８に軸支され、所定の位置でロックすることが出来るように、エアシリンダー２９にて作動するロック板３０を備えている。
【００２６】
図４（ｂ）に部分拡大図を示しているように、ホイール２０の耳部２４に接近した位置にディマウント爪４を配置しているが、軸受け２８が取付けられている基部２７がガイドポスト（図示なし）に沿って降下することでディマウント爪４の先端は上ビード部付近を押圧して変形させることが出来る。ここで、基部２７の降下はエアシリンダー３４の作動にて行われる。しかし、この位置にて該ディマウント爪４を降下して上ビード部付近を押圧しても、タイヤ上側部は変形するが、上ビード２３がディマウント爪４に係合することは出来ない。
【００２７】
（３）ディマウント爪の揺動。
ディマウント爪４をタイヤ２１の上ビード部付近を押圧するならば、該上ビード２３は変形する。しかし、上記の通り、このままディマウント爪４を降下しても外側溝３１に上ビード２３は係合しない為に、ある程度降下したところでディマウント爪４の向きを変える。すなわち、図５に示すようにディマウント爪４の先端をホイール２０に接近させ、この状態でさらに降下するならば外側溝３１に上ビード２３が係合することが出来る。ディマウント爪４の向きを最初から所定の角度にしたのでは、ディマウント爪４の先端がホイール耳部２４に当るために、同図のように先端部が耳部２４の下側に降下したところで向きが変えられ、先端は上ビード２３に接近する。
【００２８】
ここで、ディマウント爪４は向きを変えるために軸３３を中心として揺動可能に軸支されている。エアシリンダー２５のピストンロッドを突出させるならばディマウント爪４の先端はホイールから遠ざかり、逆にＯＦＦにしてピストンロッドが後退すれば、バネ力が作用してディマウント爪４の先端はホイールに近づくことが出来る。すなわち、ディマウント爪４の先端部をホイール２０の耳部２４に接近させ、先端を上ビード２３に近づけた状態でさらに押圧・降下させる。
【００２９】
（４）ディマウント爪の外側溝に上ビードが係合。
ディマウント爪４の向きを変えて先端部を耳部２４に接近させ、この状態で押圧降下するならば、図６に示すように上ビード２３は外側溝３１に係合する。
（５）上ビードの離脱。
ディマウント爪４の外側溝３１に上ビード２３が係合したところで、ディマウント爪４は上昇する。そして上ビード２３はホイール２０の耳部２４から離脱する。
この場合、エアシリンダー２５はＯＦＦの状態で、ディマウント爪４にはバネ力が付勢されて、その為にディマウント爪４の先端部はホイール側へ近づく方向に揺動するが、先端部はホイール２０の外周に沿って揺動しながら上昇する。
【００３０】
（６）ディマウント爪の内側溝が耳部に係合。
先端部をホイール側に近づくバネ力が付勢された状態でディマウント爪４が上昇するならば、図７に示すように該ディマウント爪４の内側溝３２はホイール耳部２４に係合する。従って、ディマウント爪４の先端部はホイール２０の耳部２４に内側溝３２が係合することで位置決めされる。
【００３１】
（７）エアシリンダーのエアー抜き。
ディマウント爪４はタイヤ上ビード２３を外側溝３１に係合した状態で上昇し、内側溝３２をホイール耳部２４に係合させる。この状態でタイヤ上ビード２３によって押下げる力とエアシリンダー３４によって上昇する力がバランスした状態で耳部２４に係合することになる。すなわち、エアシリンダー内にはピストン３６を押上げようとするエアー圧が作用している訳で、本発明では上ビード２３が外れる過程においてエアシリンダー３４による上昇力とのバランスが崩れることから該エアシリンダー内のエアー圧を抜取る。
【００３２】
図８は上記ディマウント爪４を昇降動するエアシリンダー３４と切替弁３５を示している。（ａ）はタイヤ上ビード２３がディマウント爪４の外側溝３１に係合して、エアシリンダー３４によって持ち上げられている状態を示している。そして、ディマウント爪４の内側溝３２はホイール耳部２４に係合している。この場合、エアシリンダー３４のピストン３６には押上げるエアー圧が作用している。
【００３３】
この状態で、ホイール２０と共にタイヤ２１が回転するならば、上ビード２３はホイール２０から外されてゆくが、その結果、ホイール２０に嵌っている上ビード２３の領域は減少してディマウント爪４を押下げる力は次第に小さくなり、遂にはエアシリンダー３４のピストン３６によって圧縮されているエアーが膨張してディマウント爪４の内側溝３２は耳部２４から外れる。上記切替弁３５はこの現象を防止する為に、ディマウント爪４が上昇して耳部２４に内側溝３２が係合したところでボタン３７を押圧してエアシリンダー３４内のエアー圧を抜くことが出来る。
【００３４】
ただし、耳部２４に内側溝３２が係合していることで、ディマウント爪４が降下することはない。すなわち、内側溝３２の形状は上昇はし易いが降下しないように成っている。図８（ｂ）はボタン３７を押圧することで切替弁３５が切り換り、エアシリンダー３４のエアー圧は抜かれた状態を示している。
【００３５】
（８）上ビードの取外し。
外側溝３１は内側溝３２より高い位置にあり、すなわち、内側溝３２が耳部２４に係合している状態では、外側溝３１に係合している上ビード２３は耳部２４より高い位置にあってホイール２０から離脱している。従って、この状態でホイール２０及びタイヤ２１が回転するならば、上ビード２３の全周はホイール２０から取外される。ここで、エアシリンダー３４のエアー圧が抜取られている為に、タイヤ２１が回転してタイヤ上ビード２３がホイール２０から外されることで、ディマウント爪４を押下げる力は小さくなっても、ディマウント爪４がホイール耳部２４から外れることはない。すなわち、上ビードを安全に外すことが出来る。
【００３６】
（９）下ビードの取外し。
上ビード２３がホイール２０から外されたタイヤ２１は、ビードアップローラ９をタイヤ２１の下側面に押し当ててタイヤ２１を回転させるならば、下ビードはホイール２０から簡単に外れる。勿論、本発明では下ビードの取外しに関しては対象外であり、ビードアップローラ９を使用する場合に限定しない。
【００３７】
上記実施例では、ディマウント爪４をある程度降下したところで（タイヤ上ビード部を押圧変形させたところで）、その向きを変えて先端をホイールに近接させているが、ディマウント爪４を回転することなく、ある程度降下した位置で角形断面軸２２をスライドさせて先端をホイール２０に近接させることも出来る。ただし、ディマウント爪４が全く回転しないように固定したのでは上ビード２３を係合して上昇する場合には耳部２４が障害と成る為に、先端が耳部２４に接したならばバネ２６を圧縮して押戻されるように揺動することは必要となる。
【符号の説明】
【００３８】
１  タイヤ爪
２  回転テーブル
３  ビードプレスローラ
４  ディマウント爪
５  押え板
６  ツメ
７  エアシリンダー
８  エアシリンダー
９  ビードアップローラ
10  縦ガイドポール
11  支柱
12  縦軸受け
13  水平軸受け
14  水平ガイドポール
15  基部
16  ガイドポスト
17  リンク
18  リンク
19  リンク
20  ホイール
21  タイヤ
22  角型断面軸
23  上ビード
24  耳部
25  エアシリンダー
26  バネ
27  基部
28  軸受け
29  エアシリンダー
30  ロック板
31  外側溝
32  内側溝
33  軸
34  エアシリンダー
35  切替弁
36  ピストン
37  ボタン
【図１】
2011031647.tif 000003
【図２】
2011031647.tif 000004
【図３】
2011031647.tif 000005
【図４】
2011031647.tif 000006
【図５】
2011031647.tif 000007
【図６】
2011031647.tif 000008
【図７】
2011031647.tif 000009
【図８】
2011031647.tif 000010